【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
以下を含む、工具：
少なくとも一方の表面上に形成された複数の不透明線を有する透明基板；および
複数の不透明線と対照的な色を有し、それぞれの不透明線と少なくとも部分的に重なり合うように不透明線上に形成され、暗い所で複数の透明線の視感度を高める顔料で形成された、複数の透明線。
【請求項２】
顔料が、露光されたときに励起可能であり、光が除去されたときにある期間にわたって輝度を保持する、請求項1記載の工具。
【請求項３】
顔料が、発光顔料を含む、請求項1記載の工具。
【請求項４】
顔料が、ブラックライトに反応する顔料を含む、請求項1記載の工具。
【請求項５】
以下を含む、機能強化された線を有する透明な測定装置：
平面状の互いに向かい合う表面および裏面を有する透明な材料シート；
透明な材料シートの表面および裏面の一方上に形成された複数の第１の不透明線；
少なくとも1本の第１の不透明線と同一線形順序に並ぶように透明な材料シートの表面および裏面の一方上に形成され、少なくとも1本の不透明線の少なくとも一方の側で見えるように少なくとも1本の第１の不透明線よりも広い幅を有し、少なくとも1本の第１の不透明線の色と対照的な色で形成された、少なくとも1本の透明線；ならびに
第１の不透明線と同一線形順序に並ぶように少なくとも1本の第１の不透明線の上に形成され、第１の不透明線の幅以下の幅、および、少なくとも１本の透明線の視感度を高める色を有する、少なくとも１本の第２の不透明線。
【請求項６】
透明線が、光に反応してより高い視感度を与える顔料で形成される、請求項5記載の装置。
【請求項７】
少なくとも1本の透明線が、ブラックライトに反応する顔料で形成される、請求項5記載の装置。
【請求項８】
少なくとも1本の透明線が、ネオン効果を示す顔料で形成される、請求項5記載の装置。
【請求項９】
少なくとも1本の不透明線が、同一線形順序に並んだダッシュ記号で形成される、請求項5記載の装置。
【請求項１０】
以下を含む、材料を測定しマーキングし、手持ち切断工具を導く工具：
互いに向かい合う平面状の表面および裏面を有し、手持ち回転切断工具を導くように適合された厚さで形成された透明基板；
透明基板の表面および裏面の少なくとも一方上に形成された第1組の不透明線；ならびに
透明基板の表面および裏面の少なくとも一方上に形成され、第1組の不透明線のうちの少なくとも1本の第１の不透明線と同一線形順序に並び、それぞれの少なくとも1本の第１の不透明線の幅よりも広い幅を有するように形成され、少なくとも1本の第１の不透明線と少なくとも部分的に重なり合うように位置し、少なくとも1本の第１の不透明線の色と対照的な色で形成された、少なくとも1本の透明線。
【請求項１１】
少なくとも1本の第１の不透明線が、破線として形成される、請求項10記載の工具。
【請求項１２】
少なくとも1本の第１の不透明線および少なくとも1本の透明線が、一致する破線として形成される、請求項10記載の工具。
【請求項１３】
少なくとも1本の透明線が、露光されるときに励起可能であり、露光されていないときに輝度を保持する顔料で形成される、請求項10記載の工具。
【請求項１４】
少なくとも1本の透明線が、発光顔料で形成される、請求項10記載の工具。
【請求項１５】
少なくとも1本の透明線が、ブラックライトに反応する顔料で形成される、請求項10記載の工具。
【請求項１６】
少なくとも1本の透明線が、使用者にネオン効果を示す、請求項10記載の工具。
【請求項１７】
少なくとも1本の透明線が、基板に貼り付けられた可とう性の材料で形成される、請求項10記載の工具。
【請求項１８】
可とう性の材料が、単一の第１の不透明線上に貼り付けられるようなサイズおよび形状を有する可とう性の材料のストリップを含む、請求項17記載の工具。
【請求項１９】
ストリップが、一方の側に接着剤を有するテープを含む、請求項18記載の工具。
【請求項２０】
第１組の不透明線の少なくとも１本の第１の不透明線と同一線形順序に並ぶように少なくとも1本の第１の不透明線の上に形成され、少なくとも１本の第１の不透明線の幅以下の幅を有するよう形成され、材料の反対側に置かれるとき少なくとも１本の透明線の視感度を高める色の、少なくとも１本の第２の不透明線をさらに含む、請求項10記載の工具。
【請求項２１】
少なくとも１本の第２の不透明線が、白である、請求項20記載の工具。
【請求項２２】
透明線が、ハーフトーンから形成される、請求項20記載の工具。
【請求項２３】
透明線の幅が、不透明線の幅の少なくとも６倍である、請求項10記載の工具。
【請求項２４】
以下を含む、材料を測定し、マーキングし、切断する際に使用する工具：
互いに向かい合う平面状の表面および裏面を有する透明基板；
透明基板の表面および裏面の少なくとも一方上に形成された1組の不透明線；ならびに
1組の不透明線のうちの少なくとも1本の不透明線を含む高視感度複合線を形成するように透明基板に貼り付けられた少なくとも1つの可とう性材料であって、少なくとも1本の透明線が、少なくとも1本の不透明線の色と対照的な色を有する可とう性の材料上に形成され、かつ少なくとも1本の不透明線と少なくとも部分的に重なり合うように少なくとも1本の不透明線に位置合わせされ、暗い所で複合線の視感度を高めるよう適合化される、可とう性材料。
【請求項２５】
透明線が、発光顔料で形成される、請求項24記載の工具。
【請求項２６】
透明線が、ブラックライトに反応する顔料で形成される、請求項24記載の工具。
【請求項２７】
透明線が、露光されるときに励起可能であり、露光されていないときに輝度を保持する顔料で形成される、請求項24記載の工具。
【請求項２８】
不透明線上に形成され、不透明線の幅以下の幅を有し、透明基板の裏面からのみ見える白線をさらに含む、請求項24に記載の工具。
【請求項２９】
以下の段階を含む、材料を測定し、マーキングし、切断する際に使用する工具を形成する方法：
剛性で透明であり、互いに向かい合う平面状の表面および裏面を有する基板を設ける段階；
基板の表面および裏面の一方上に少なくとも1本の不透明線を形成する段階；ならびに
不透明線の幅よりも広い幅を有するように形成され、不透明線と少なくとも部分的に重なり合うように位置し、不透明線の色と対照的で光に反応して透明線および不透明線で形成される複合線の視感度を高める色で形成された、透明線を、少なくとも1本の不透明線上に形成する段階。
【請求項３０】
透明線が、不透明線よりも明るい色で形成される、請求項29記載の方法。
【請求項３１】
透明線が、光に反応して視感度を高める顔料で形成される、請求項29記載の方法。
【請求項３２】
透明線が、ブラックライトに反応する顔料で形成される、請求項29記載の方法。
【請求項３３】
透明線が、ネオン効果を示す顔料で形成される、請求項29記載の方法。
【請求項３４】
不透明線が、同一線形順序に並んだダッシュ記号で形成される、請求項29記載の方法。
【請求項３５】
透明線が、基板に貼り付けられる可とう性の材料上に形成される、請求項29記載の方法。
【請求項３６】
可とう性の材料が、非静電付着材料を含む、請求項35記載の方法。
【請求項３７】
不透明線の幅以下の幅を有し、基板の裏面からのみ見える白線を、少なくとも1本の不透明線上に形成する段階をさらに含む、請求項29に記載の方法。
【請求項３８】
以下の段階を含む、材料を測定し、マーキングし、切断する際に使用する工具を形成する方法：
互いに向かい合う平面状の表面および裏面を有する透明基板を設ける段階；
透明基板の表面および裏面の少なくとも一方上に第1組の不透明線を形成する段階；
第１組の不透明線上に、第１組の不透明線の幅以下の幅を有し、色が白の第２組の不透明線を形成する段階；ならびに
第1組の不透明線の少なくとも1本の不透明線の幅よりも広い幅で可とう性材料上に形成され、少なくとも1本の不透明線と少なくとも部分的に重なり合うように位置し、透明線および少なくとも1本の不透明線の複合線を形成するように少なくとも1本の不透明線の色と対照的なより明るい色で形成され、所定の光条件の下で光に反応して透明線の視感度を高めるように形成された透明線を有する可とう性の材料を基板に貼り付ける段階。
【請求項３９】
所定の光条件が、ブラックライト条件を含む、請求項38記載の方法。
【請求項４０】
所定の光条件が、暗い所を含む、請求項38記載の方法。
【請求項４１】
以下の段階を含む、工具製造方法：
平面上の向かい合う表面および裏面を有する透明で剛性の材料から形成された基板を提供する段階；
透明な材料シートの表面および裏面の一方上に複数の第１の不透明線を形成する段階；ならびに
少なくとも1本の第１の不透明線と同一線形順序に並ぶように透明な材料シートの表面および裏面の一方上に、少なくとも1本の不透明線の少なくとも一方の側で見えるように少なくとも1本の第１の不透明線よりも広い幅を有し、少なくとも1本の第１の不透明線の色と対照的な色で形成された、少なくとも1本の透明線を形成する段階。
【請求項４２】
少なくとも１本の第１の不透明線と同一線形順序に並ぶように少なくとも1本の第１の不透明線の上に、少なくとも１本の第１の不透明線と透明線の間にあるよう形成され、第１の不透明線の幅以下の幅、および、少なくとも１本の透明線の視感度を高める色を有する、少なくとも１本の第２の不透明線を形成する段階をさらに含む、請求項41記載の方法。
【請求項４３】
光に反応してより高い視感度を与える顔料の透明線を形成する段階を含む、請求42記載の方法。
【請求項４４】
少なくとも1本の透明線が、ブラックライトに反応する顔料で形成される、請求項41記載の方法。
【請求項４５】
少なくとも1本の透明線が、ネオン効果を示す顔料で形成される、請求項41記載の方法。
【請求項４６】
以下の段階を含む、材料を測定しマーキングし、手持ち切断工具を導く工具の作製方法：
互いに向かい合う平面状の表面および裏面を有し、手持ち回転切断工具を導くように適合された厚さを有するよう形成された、剛性な材料の透明基板を形成する段階；
透明基板の表面および裏面の少なくとも一方上に形成された第1組の不透明線を形成する段階；ならびに
透明基板の表面および裏面の少なくとも一方上に、第1組の不透明線と同一線形順序に並び、それぞれの第１組の不透明線の幅よりも少なくとも６倍広い幅に形成され、第１組の不透明線と少なくとも部分的に重なり合うように位置し、第１組の不透明線の色と対照的な色で形成された、少なくとも1組の透明線を形成する段階。
【請求項４７】
直接第１組の不透明線上で、第１組の不透明線と少なくとも１組の透明線の間に第２組の不透明線を形成する段階をさらに含み、第２組の不透明線が第１組の不透明線の幅以下の幅、および、少なくとも第１組の透明線の視感度を高める色を有する、請求項46記載の方法。
【請求項４８】
第１組の不透明線が、破線として形成される、請求項47記載の方法。
【請求項４９】
第１組の不透明線および少なくとも1組の透明線が、一致する破線として形成される、請求項47記載の方法。
【請求項５０】
少なくとも1組の透明線が、露光されるときに励起可能であり、露光されていないときに輝度を保持する顔料で形成される、請求項47記載の方法。
【請求項５１】
少なくとも1組の透明線が、発光顔料で形成される、請求項47記載の方法。
【請求項５２】
少なくとも1組の透明線が、使用者にネオン効果を示す材料で形成される、請求項47記載の方法。
【請求項５３】
以下の段階を含む、材料を測定しマーキングし、手持ち切断工具を導く工具の形成方法：
互いに向かい合う平面状の表面および裏面を有し、手持ち回転切断工具を導くように適合された厚さを有するよう形成された、剛性な透明基板を形成する段階；
透明基板の表面および裏面の少なくとも一方上に第1組の不透明線を形成する段階；
第１組の不透明線上に第１組の不透明線の幅以下の幅を有する第２組の不透明線を形成する段階；ならびに
第２組の不透明線上に、第２組の不透明線と第１組の不透明線の幅よりも少なくとも６倍広い幅を有し、第１組と第２組の不透明線の両側に重なり合うように位置し、第１組の不透明線の色と対照的な色で形成された、１組の透明線を形成する段階。
【請求項５４】
第１組および第２組の不透明線が、一致する破線として形成される、請求項53記載の方法。
【請求項５５】
透明線が、露光されるときに励起可能であり、露光されていないときに輝度を保持する顔料で形成される、請求項53記載の方法。
【請求項５６】
透明線が、発光顔料で形成される、請求項53記載の方法。
【請求項５７】
透明線が、ブラックライトに反応する顔料で形成される、請求項53記載の方法。
【請求項５８】
透明線が、使用者にネオン効果を示す、請求項53記載の方法。
【請求項５９】
工具が材料上に置かれるとき、第２組の不透明線が透明線の視感度を高める色で形成されている、請求項53記載の方法。